(57)【要約】【課題】安全性が高く、加湿部の紛失を抑制することができると共に加湿部材を交換する作業性の向上を図ることができる保護用眼鏡の提供を図る。【解決手段】レンズ１１と、これ支持するフレーム２１と、レンズ１１の周囲から着用者方向に伸びるフード部材３１とを備える。フード部材は、フレーム２１よりも柔らかい柔軟性を備えるものであり、フレーム２１の着用者側に取り付けられる筒状部３２を備える。筒状部３２は、着用者の目に水分を供給する加湿部材５１を保持する加湿部４１を備える。加湿部４１は、フード部材３１と一体に形成されることにより柔軟性を備える。【選択図】図１
0003221925.tif 000002
【実用新案登録請求の範囲】
【請求項１】
レンズと、前記レンズを支持するフレームと、前記レンズの周囲から着用者方向に伸びるフード部材とを備えた保護用眼鏡において、
前記フード部材は、上記フレームよりも柔らかい柔軟性を備え、
前記フード部材は、前記フレームの着用者側に取り付けられる筒状部を備え、
前記筒状部は、着用者の目に水分を供給する加湿部材を保持する加湿部を備え、
前記加湿部は、前記フード部材と一体に形成されることにより前記柔軟性を備えたことを特徴とする保護用眼鏡。
【請求項２】
前記加湿部は、前記フード部材の内周面によって構成された本体部分と、前記本体部分を覆うように設けられたカバー部とが一体形成されたものであり、
前記本体部分と前記カバー部との間に収納空間を備え、
前記収納空間は、その後方側が開口部となっており、前記開口部から前記加湿部材を前記収納空間内へスライドさせて着脱させることができるように構成されたことを特徴とする請求項１に記載の保護用眼鏡。
【請求項３】
前記加湿部材は、本体とその後端から突出した摘み部とを備え、前記本体と前記摘み部とを折曲可能とし、前記摘み部を指先で持って前記本体を前記開口部から前記収納空間内部へ挿入することができるように構成されたことを特徴とする請求項２に記載の保護用眼鏡。
【請求項４】
前記カバー部の後端辺は、中央が前方へ凹んでおり、
前記フード部材の目尻側部分の後端には前方へ向けて凹んだ切り欠きを備え、
前記収納空間の奥まで前記本体を挿入した状態で、前記摘み部は、前記カバー部の後方側の前記開口部から外部へ突出していると共に、前記切り欠きと同程度もしくはそれ以上後方に突出していることを特徴とする請求項３に記載の保護用眼鏡。
【請求項５】
前記加湿部材の前記本体は平板状をなしていると共に、前記本体を受け入れる前記収納空間も平らな空間となっていることを特徴とする請求項３又は４に記載の保護用眼鏡。
【考案の詳細な説明】
【技術分野】
【０００１】
本考案は、ドライアイや花粉症対策など、目の保護や疾患対策に適する保護用眼鏡に関するものである。
【背景技術】
【０００２】
本願出願人は、保護用眼鏡に関する開発を古くから行なっており、日本国においては特許文献１に係る考案について、２００９年５月１９日に実用新案登録出願を行い、その考案は２００９年７月８日に登録され、その公報が２００９年７月１３０日に発行された。
【０００３】
この従来の保護用眼鏡について図５〜図１０を参照しながら説明する。
この従来の保護用眼鏡は、左右のレンズ１１１と、このレンズ１１１を支持するフレーム１２１とを備える。フレーム１２１は、レンズ１１１を直接支持するリム１２２と、リム１２２の左右の目頭側同士を接続するブリッジ１２３と、左右の目尻側に屈曲部１２４とヒンジを介して回動可能に接続されたテンプル１２５と、その先端に設けられたモダン１２６とを備える。
このフレーム１２１には、フード部材１３１が着脱可能に取り付けられる。このフレーム部は、硬質の合成樹脂製の他、金属製として実施することができる。
【０００４】
フード部材１３１は、レンズ１１１及びリム１２２と目との間の隙間から、花粉などの異物が侵入することを防止するためのもので、顔に密着し易いように軟質の合成樹脂で実施することが望ましい。このフード部材１３１は、左右のリム１２２の後方側に配位される左右の筒状部１３２と、左右の筒状部１３２同士を繋ぐための接続部１３７を備えており、接続部１３７はこの例ではブリッジ１２３の後方側に配位されている。フード部材１３１は、顔の形状に合わせて目頭側部分１３３よりも目尻側部分１３４を長くすることが望ましく、目頭側部分１３３の前方側にフード側第１係合部１３５が形成され、目尻側部分１３４の前方側にフード側第２係合部１３６が形成されている。フード側第１係合部１３５は、前述のフレーム側第１係合部１２７と係合するものであり、フード側第２係合部１３６はフレーム側第２係合部１２８と係合する。
【０００５】
ここで、ノーズパッド１４１（図５（Ｂ）、図６）を、フード部材１３１（図５（Ａ））と交換可能に設けても良い。図６において、１４２はノーズパッド本体、１４３は連結部、１４５はノーズパッド側係合部を示す。
フード側第１係合部１３５は、ノーズパッド側係合部４５と同一の大きさ、同一の位置関係に設けられているため、フレーム側第１係合部１２７に対して互換性があり、ノーズパッド１４１とフード部材１３１との交換を無理なく行うことができる。
筒状部１３２の外周面の目尻側部分１３４には、パッド部１３８が設けられている。このノーズパッド部１３８は、着用者の鼻に当接する部分である。
【０００６】
この従来の保護用眼鏡は、ドライアイ対策用の眼鏡としても機能するように設計されたものであり、筒状部１３２の内側に、加湿部１５１が着脱可能に設けられている。
詳しくは、加湿部１５１は、基部１５２と蓋部１５３を備え、この基部１５２と蓋部１５３との間に加湿部材１５４が配位されている。基部１５２には、蓋部１５３に向けて突起１５５が形成され、蓋部１５３には、この突起１５５が嵌入する嵌合孔１５６と、加湿部材１５４からの水分の蒸散を可能にする通気孔１５７とが形成されている。加湿部材１５４は織布や不織布や紙など、保水性と蒸散性を有するシート状体を採用し、この加湿部材１５４に水を含ませて装着することによって、眼球に水分を補給して、ドライアイの発生を防止することができる。この加湿部１５１を設ける位置は、筒状部１３２の目尻側部分１３４が望ましく、この例では、目尻側部分１３４に取付孔１５８を設け、基部１５２に設けた係合部１５９を嵌入させることにて、着脱可能に取り付けている。
【０００７】
加湿部材１５４は、上下間の長さが２０〜３０ｍｍ程度の三日月状をなしており、加湿部材１５４よりも一回り大きく形成された基部１５２と蓋部１５３との間に挟まれて、フード部材１３１内周面に取り付けられる。基部１５２と蓋部１５３とは硬質の合成樹脂製であり、フード部材１３１の湾曲した内周面の形状に合わせて、縦断面弓状に湾曲している。他方、シート状の加湿部材１５４は、通常は平板であるため、加湿部材１５４に水を含ませて装着する際に、弓状に湾曲した状態に変形させることになる。
シート状の加湿部材１５４には、通気孔１５７から水や薬液を滴下するなどして、蒸散した水分を補給して使用することもできるが、加湿部材１５４が汚れてきた場合には新たなものに交換することができるようにして実施することが好ましい。ところが、加湿部材１５４の交換時には、蓋部１５３を基部１５２から取り外したり、基部１５２ごとフード部材１３１から取り外したりする必要があるため、これらの部材を紛失してしまう恐れがある。
また、基部１５２と蓋部１５３とは硬質の合成樹脂製であるため、眼鏡をかけたままで転倒したり、眼鏡のテンプル１２５などに当たったりするなどして、眼鏡の内部が強く顔面に接触すると、硬質の加湿部１５１によって顔面を切るなど怪我をする恐れがある。特に、活発な年少者の場合には、運動場などで全身を使って遊ぶ機会も多く、十分な安全対策が施す必要が高くなる。
【先行技術文献】
【特許文献】
【０００８】
【特許文献１】登録実用新案第３１５２４１２号公報公報
【考案の概要】
【考案が解決しようとする課題】
【０００９】
本考案の課題は、安全性の高い保護用眼鏡の提供を図ることにある。
本考案の他の課題は、加湿部の紛失を抑制することにある。
本考案のさらに他の課題は、加湿部材を交換する作業性の向上を図ることにある。
【課題を解決するための手段】
【００１０】
本考案は、レンズと、前記レンズを支持するフレームと、前記レンズの周囲から着用者方向に伸びるフード部材とを備えた保護用眼鏡の改良に関する。本考案においては、前記フード部材は、上記フレームよりも柔らかい柔軟性を備え、前記フード部材は、前記フレームの着用者側に取り付けられる筒状部を備える。前記筒状部は、着用者の目に水分を供給する加湿部材を保持する加湿部を備え、前記加湿部は、前記フード部材と一体に形成されることにより前記柔軟性を備えたものである。
本考案の実施に際しては、前記加湿部は、前記フード部材の内周面によって構成された本体部分と、前記本体部分を覆うように設けられたカバー部とが一体形成されたものとすることができる。前記本体部分と前記カバー部との間に収納空間を備え、前記収納空間はその後方側が開口部となっており、前記開口部から前記加湿部材を前記収納空間内へスライドさせて着脱させることができるように構成して実施することができる。
前記加湿部材は、本体とその後端から突出した摘み部とを備え、前記本体と前記摘み部とを折曲可能とし、前記摘み部を指先で持って前記本体を前記開口部から前記収納空間内部へ挿入することができるように構成して実施することができる。
さらに、前記カバー部の後端辺は、中央が前方へ凹んでおり、前記フード部材の目尻側部分の後端には前方へ向けて凹んだ切り欠きを備え、前記収納空間の奥まで前記本体を挿入した状態で、前記摘み部は、前記カバー部の後方側の前記開口部から外部へ突出していると共に、前記切り欠きと同程度もしくはそれ以上後方に突出しているように構成して実施することができる。
また、前記加湿部材は、本体とその後端から突出した摘み部とを備え、前記本体は平板状をなしていると共に、前記本体を受け入れる前記収納空間も平らな空間となっているものとして実施することができる。
【考案の効果】
【００１１】
本考案は、安全性の高い保護用眼鏡を提供することができたものである。
本考案は、加湿部の紛失を抑制することができた保護用眼鏡を提供することができたものである。
本考案は、加湿部材を交換する作業性の向上することができた保護用眼鏡を提供することができたものである。
【図面の簡単な説明】
【００１２】
【図１】（Ａ）は本願考案の実施の形態に係る眼鏡であってフード部材を取り付けた状態の斜視図、（Ｂ）は同眼鏡であってフード部材を取り付けた状態の左側の要部拡大斜視図、（Ｃ）は同眼鏡であってフード部材を取り付けた状態の右側の要部拡大斜視図。
【図２】（Ａ）は同眼鏡のフード部材の斜視図、（Ｂ）は同フード部材の左側の要部拡大斜視図、（Ｃ）は同フード部材の右側の要部拡大斜視図、（Ｄ）はフード部材の正面図。
【図３】（Ａ）は同眼鏡のノーズパッドを取り付けた状態の斜視図、（Ｂ）は同ノーズパッドの正面図、（Ｃ）は同ノーズパッドの斜視図。
【図４】（Ａ）は同フード部材に加湿部材を装着する前の要部斜視図、（Ｂ）は同フード部材に加湿部材を装着した状態の要部斜視図、（Ｃ）は同フード部材から加湿部材を取り出す状態の要部斜視図。
【図５】従来の眼鏡であってフード部材を取り付けた状態を示し、（Ｂ）は同眼鏡であってノーズパッドを取り付けた状態を示す。
【図６】（Ａ）は同従来の眼鏡のフレームの要部背面図であり、（Ｂ）は同従来の眼鏡のノーズパッドの正面図であり、（Ｃ）は同ノーズパッドの側面図であり、（Ｄ）は同ノーズパッドの背面図である。
【図７】（Ａ）は同従来の眼鏡のフード部材の正面図であり、（Ｂ）は同フード部材の背面図である。
【図８】（Ａ）は図１（Ａ）のＡ−Ａ線に沿う断面説明図であり、（Ｂ）は図１（Ａ）のＢ−Ｂに沿う断面説明図である。
【図９】図１（Ａ）のＣ−Ｃ線に沿う断面説明図である。
【図１０】同従来の眼鏡の加湿部を示すもので、（Ａ）は基部の正面図、（Ｂ）は加湿部材の正面図、（Ｃ）は蓋部の正面図である。
【考案を実施するための形態】
【００１３】
以下、図１〜図４を参照して本考案の実施の形態を説明する。
【００１４】
本考案に係る眼鏡は、左右のレンズ１１と、このレンズ１１を支持するフレーム２１とを備える。レンズ１１は、一般の眼鏡と同様、レンズ１１の周囲に配位されてこれを直接支持するリム２２と、リム２２の左右の目頭側同士を接続するブリッジ２３と、左右の目尻側にヒンジを介して回動可能に接続されたテンプル２５と、その先端に設けられたモダン２６とを備える。
【００１５】
このフレーム２１には、フード部材３１が着脱可能に取り付けられる。図１はフード部材３１を取り付けた状態を示し、図３はフード部材３１の代わりにノーズパッド６１を取り付けた状態を示す。この着脱のために、フレーム２１には、左右のリム２２の目頭側の後方側にフレーム側第１係合部２７（図１（Ａ）参照）が設けられている。また、左右のリム２２の目尻側の後方側にはフレーム側第２係合部２８（図３（Ａ）参照）が設けられている。なお、本願において、後方側とは着用者側に近い方、前方側とは着用者から見て前方を言う。
このフレーム部は、アセテートやポリアミドやポリカーボネート等の硬質の合成樹脂製の他、金属製として実施することができる。
【００１６】
他方、フード部材３１は、レンズ１１及びリム２２と目との間の隙間から、花粉やＰＭ２．５などの異物が侵入することを防止するためのもので、顔に密着し易いようにエラストマーやシリコン等の軟質の合成樹脂で実施することが望ましい。
【００１７】
このフード部材３１は、図１及び図２に示すように、左右のリム２２の後方側に配位される左右の筒状部３２と、左右の筒状部３２同士を繋ぐための接続部３７を備えており、接続部３７はこの例ではフレーム２１のブリッジ２３の後方側に配位される。フード部材３１は、顔の形状に合わせて目頭側部分３３よりも目尻側部分３４を長くすることが望ましい。図２（Ｄ）に示されるように、目頭側部分３３の前方側に凹状のフード側第１係合部３５が形成され、目尻側部分３４の前方側に凹状のフード側第２係合部３６が形成されている。フード側第１係合部３５は、図１（Ａ）の凸状のフレーム側第１係合部２７と係合するものであり、フード側第２係合部３６は図３（Ａ）の凸状のフレーム側第２係合部２８と係合する。なお、これらの凹凸の関係は逆になっても構わないし、他の係合構造に変更しても構わない。
【００１８】
筒状部３２の外周面の目頭側部分３３には、ノーズパッド部３８が設けられている。このノーズパッド部３８は、着用者の鼻に当接して、良好な掛け心地を得ることができる。筒状部３２の内面側は、前方側から後方側に向かうに従って、筒状部３２の外側に傾斜して伸びるものであり、これによって、着用時に顔面肌に自然と密着する。
このように密着性が高まると、レンズが曇るという弊害が生ずるおそれがあるため、筒状部３２に適宜数の通気孔３９を設けておくことも望ましい。
【００１９】
筒状部３２の内側には、織布製や不織布製や紙製などのシート状体からなる加湿部材５１を収納する加湿部４１が、フード部材３１と一体に着脱不能に設けられている。したがって、この加湿部４１は、フード部材３１と同じく柔軟性を備えた軟質樹脂であり、従来の硬質部材からなる加湿部１４１に比べて、安全性が高められたものである。
図２（Ｂ）に最もよく示されるように、加湿部４１は、フード部材３１の内周面によって構成された本体部分４２と、本体部分４２を覆うように設けられたカバー部４３とを備える。このカバー部４３は、その前方側と上方側と下方側との３辺がフード部材３１と一体に連続している一方、後方側が開口部４４となっており、この開口部４４から加湿部材５１を収納空間４５内へスライドさせて着脱させることができる。
【００２０】
カバー部４３には、加湿部材５１からの水分の蒸散を可能にしたり、人が水や薬液を加湿部材５１に補給したりするための貫通孔４６が形成されている。なお、貫通孔４６を複数個設ける場合、すべての貫通孔４６を人が水や薬液を加湿部材５１に補給するための貫通孔（即ち、注水口）を兼ねるものとして実施しても構わないが、中央の貫通孔４６など特定の貫通孔４６だけが注水口を兼ねるものとして実施してもよい。
加湿部材５１は織布や不織布や紙など、保水性と蒸散性を有するシート状体を採用しており、この加湿部材５１に水や薬液を含ませて装着することによって、眼球に水分や薬液を常時補給して、ドライアイや花粉症の発生を抑制することができる。左右別々の筒状部３２とレンズ１１とによって形成された狭い空間内に、加湿部材５１が配位されているため、効果的なドライアイや花粉症の対策となり得る。特に、花粉症やドライアイ等、頻繁な点眼を必要とするいくつかの眼の疾患については、水の代わりに加湿部材に目薬を補給することにより、点眼の頻度を減らすもしくは症状を緩和する効果が期待できる。
【００２１】
この例では、図１（Ｂ）に示されるように、加湿部材５１は、本体５２の後端から摘み部５３が突出して設けられている。本体５２は、略矩形の平板状をなしており、これを受け入れる収納空間４５についても略矩形の平らな空間となっており、摘み部５３を指先で持って、スムーズに本体５２を開口部４４から収納空間４５内部へスライドさせて挿入することができる。加湿部材５１の本体５２は、種々変更して実施することができるが、上下の長さを、２０ｍｍ以下、望ましくは８〜１５ｍｍ程度とすることによって、平板状のままで収納空間４５に着脱することができる。
【００２２】
収納空間４５の奥まで本体５２を挿入した状態で、摘み部５３は、カバー部４３の後方側の開口部４４から外部へ突出しており、取り出すときには摘み部５３を摘まんで引き出すだけで簡単に取り出すことができる。カバー部４３の後端辺は、直線状であっても構わないが、中央を弓状に前方へ凹ませることで、より簡単に摘み部５３を摘まむことができるため有利である。
【００２３】
さらに望ましくは、フード部材３１の目尻側部分３４の後端には、テンプル２５を折りたたんだ時に干渉を避けるための切り欠き４０を設けると共に、この切り欠き４０と同程度もしくはそれ以上後方に、摘み部５３を突出させておく。これによって、人差し指の指先を後方から切り欠き４０へ挿入することによって、摘み部５３が自然と内側（目元側）へ折れ曲がる。この状態で、親指の指先を摘み部５３の内面（目元側の面）に沿わせることで、摘み部５３を人差し指と親指で極めて簡単に摘まむことができるし、図４（Ｃ）に示すように、摘み部５３を折り曲げてしまうこともできる。
【００２４】
以上、本考案の保護用眼鏡類は、一般の眼鏡の他、ファッション用サングラス、スポーツ用サングラス、スポーツ用ゴーグル、ドライアイ対策用眼鏡、花粉症対策用眼鏡、防塵用眼鏡、医療用眼鏡など、視野の確保と異物からの目の保護との双方の目的に利用されるものに適用することができる。レンズの個数は、左右のレンズが繋がった１眼のレンズであってよく、左右１枚ずつの２眼のレンズなど、複数枚のレンズを用いたものであってもよい。フレームは、レンズの周囲に配位されてこれを直接支持するリム等を備えればよく、テンプルやモダンに代えて、ベルト等の他の取付手段を採用しても構わない。また従来と同様、ノーズパッド６１とフード部材３１とを交換可能に実施しても構わない（図３参照）。
【符号の説明】
【００２５】
１１  レンズ
２１  フレーム
２２  リム
２３  ブリッジ
２７  フレーム側第１係合部
２８  フレーム側第２係合部
３１  フード部材
３２  筒状部
３３  目元側部分
３４  目尻側部分
３５  フード側第１係合部
３６  フード側第２係合部
３７  接続部
３８  パッド部
３９  通気孔
４０  切り欠き
４１  加湿部
４２  本体部分
４３  カバー部
４４  開口部
４５  収納空間
４６  貫通孔
５１  加湿部材
５２  本体
５３  摘み部
６１  ノーズパッド
【図１】
0003221925.tif 000003
【図２】
0003221925.tif 000004
【図３】
0003221925.tif 000005
【図４】
0003221925.tif 000006
【図５】
0003221925.tif 000007
【図６】
0003221925.tif 000008
【図７】
0003221925.tif 000009
【図８】
0003221925.tif 000010
【図９】
0003221925.tif 000011
【図１０】
0003221925.tif 000012